(57)【要約】  回転機械は、支持部材、支持部材に回転自在に支持されている回転体、及び回転体の周方向に沿って配置され、回転体を囲んでいる仕切り部材を備えている。仕切り部材の少なくとも一部は、山折り部及び谷折り部が周方向へ繰り返されている伸縮可能な蛇腹部になっている。
2017090080.tif 000002
【特許請求の範囲】
【請求項１】
支持部材、
前記支持部材に回転自在に支持されている回転体、及び
前記回転体の周方向に沿って配置され、前記回転体を囲んでいる仕切り部材
を備え、
前記仕切り部材の少なくとも一部は、山折り部及び谷折り部が周方向へ繰り返されている伸縮可能な蛇腹部になっている回転機械。
【請求項２】
前記仕切り部材の径方向外側に配置されているカバー
をさらに備えている請求項１に記載の回転機械。
【請求項３】
前記仕切り部材は、前記回転体の外周部に取り付けられている請求項１又は請求項２に記載の回転機械。
【請求項４】
前記回転体の外周部には、前記回転体の周方向に沿った溝が設けられており、
前記仕切り部材は、前記溝の底面に重なっている重ね部と、前記重ね部から径方向外側へ延びている仕切り部材本体部とを有し、
前記重ね部は、前記溝に沿った締結具で前記回転体に締め付けられている請求項３に記載の回転機械。
【請求項５】
前記仕切り部材は、前記支持部材に対して固定されている請求項１又は請求項２に記載の回転機械。
【請求項６】
請求項１〜請求項５のいずれか一項に記載の回転機械であるエレベータ用巻上機。
【発明の詳細な説明】
【技術分野】
【０００１】
この発明は、回転体が支持部材に回転可能に支持されている回転機械、及びエレベータ用巻上機に関するものである。
【背景技術】
【０００２】
従来、エレベータ用巻上機内の潤滑油がウォーム軸を伝わって外部へ漏れ出ることを防止するために、ゴム製の円板状のスリンガをウォーム軸の外周面に嵌めたエレベータ用巻上機の封油機構が知られている（特許文献１参照）。
【先行技術文献】
【特許文献】
【０００３】
【特許文献１】特開昭５０−２２９６１号公報
【発明の概要】
【発明が解決しようとする課題】
【０００４】
しかし、このような従来のエレベータ用巻上機の封油機構では、ウォーム軸の外径に合う大きさの内径を持つスリンガを用意する必要がある。従って、互いに異なる外径を持つ複数のウォーム軸のそれぞれにスリンガを嵌めるためには、各ウォーム軸の外径に合う内径をそれぞれ持つ複数種類のスリンガを用意する必要がある。従って、スリンガの管理が煩雑になり、封油機構の製造に手間がかかってしまう。また、例えばゴム製のスリンガが成型品である場合、互いに大きさの異なる複数種類の型で各種類のスリンガを製造する必要がある。従って、封油機構の製造コストも増大してしまう。【０００５】
この発明は、上記のような課題を解決するためになされたものであり、製造を容易にすることができ、製造コストの低減化を図ることができる回転機械、及びエレベータ用巻上機を得ることを目的とする。
【課題を解決するための手段】
【０００６】
この発明による回転機械、及びエレベータ用巻上機は、支持部材、支持部材に回転自在に支持されている回転体、及び回転体の周方向に沿って配置され、回転体を囲んでいる仕切り部材を備え、仕切り部材の少なくとも一部は、山折り部及び谷折り部が周方向へ繰り返されている伸縮可能な蛇腹部になっている。
【発明の効果】
【０００７】
この発明による回転機械、及びエレベータ用巻上機によれば、蛇腹部の伸縮の調整により仕切り部材を回転体の周囲に容易に配置することができる。これにより、回転機械及びエレベータ用巻上機の製造を容易にすることができ、回転機械及びエレベータ用巻上機の製造コストの低減化を図ることができる。
【図面の簡単な説明】
【０００８】
【図１】この発明の実施の形態１によるエレベータを示す構成図である。
【図２】図１の巻上機を示す一部破断側面図である。
【図３】図２の巻上機の仕切り部材及びカバーの範囲を拡大して示す拡大図である。
【図４】図３のＩＶ−ＩＶ線に沿った断面図である。
【図５】図３の回転軸に取り付けられている仕切り部材を示す斜視図である。
【図６】図５の回転軸に対する仕切り部材の取付部分を示す拡大斜視図である。
【図７】図５の仕切り部材を展開した状態を示す斜視図である。
【図８】図３の回転軸及び仕切り部材が回転しているときに回転軸の外周面に付着している潤滑剤の様子を示す側面図である。
【図９】この発明の実施の形態２によるエレベータ用巻上機を示す断面図である。
【図１０】図９の巻上機の仕切り部材及びカバーの範囲を拡大して示す拡大図である。
【図１１】図１０の駆動綱車及び仕切り部材が回転しているときに懸架体から飛散した潤滑剤の様子を示す側面図である。
【図１２】この発明の実施の形態３によるエレベータ用巻上機を示す要部断面図である。
【発明を実施するための形態】
【０００９】
以下、この発明の好適な実施の形態について図面を参照して説明する。
実施の形態１．
図１は、この発明の実施の形態１によるエレベータを示す構成図である。図において、昇降路１内には、かご２及び釣合おもり３が昇降可能に設けられている。昇降路１の上部には、機械室４が設けられている。機械室４には、回転機械であるエレベータ用巻上機（以下、単に「巻上機」という）５とそらせ車６とが設けられている。
【００１０】
巻上機５及びそらせ車６には、長尺物である複数本の懸架体７が巻き掛けられている。かご２及び釣合おもり３は、複数本の懸架体７により昇降路１内に吊り下げられている。懸架体７としては、例えばロープ又はベルト等が用いられている。
【００１１】
図２は、図１の巻上機５を示す一部破断側面図である。巻上機５は、水平方向へ互いに離して配置されている一対の支持部材８と、一対の支持部材８に回転自在に支持されている回転体である回転軸９と、回転軸９を回転させる駆動力を発生するモータ１０と、回転軸９に固定されている駆動綱車１１と、回転軸９の回転を制動するブレーキ装置１２とを有している。
【００１２】
一対の支持部材８には、回転軸９を通す貫通穴１３が設けられている。各貫通穴１３には、軸受１４と、モータ１０からみて軸受１４よりも軸線方向外側で軸受１４を覆うシール部材１５とが嵌っている。軸受１４には、潤滑剤が収容されている。軸受１４の潤滑剤としては、例えば油又はグリス等が用いられている。回転軸９は、貫通穴１３に通されている状態で軸受１４を介して支持部材８に水平に支持されている。回転軸９の一端部及び他端部は、モータ１０からみて各支持部材８から軸線方向外側へそれぞれ出ている。
【００１３】
モータ１０は、一対の支持部材８間に挟まれた状態で各支持部材８に支持されている。また、モータ１０は、一対の支持部材８に固定されている筒状の固定子と、固定子の内側に配置されている回転子とを有している。回転子は、回転軸９に固定されている。これにより、回転子は、固定子への給電により固定子に対して回転軸９と一体に回転する。
【００１４】
駆動綱車１１は、回転軸９の一端部に固定されている。これにより、駆動綱車１１は、回転軸９と一体に回転する。駆動綱車１１の外周部には、複数本の懸架体用溝１６が駆動綱車１１の周方向に沿って設けられている。駆動綱車１１に巻き掛けられている各懸架体７は、各懸架体用溝１６にそれぞれ挿入されている。かご２及び釣合おもり３は、駆動綱車１１の回転により昇降路１内を上下方向へ移動する。
【００１５】
ブレーキ装置１２は、回転軸９の他端部に固定されているブレーキディスク１７と、一方の支持部材８に取り付けられているブレーキ装置本体１８とを有している。ブレーキディスク１７は、回転軸９と一体に回転する。ブレーキ装置本体１８は、ブレーキディスク１７の制動面に接触したりブレーキディスク１７から離れたりする複数のブレーキシュー１９を有している。巻上機５では、ブレーキシュー１９がブレーキディスク１７の制動面に接触することにより、回転軸９、駆動綱車１１及びブレーキディスク１７に制動力が加わる。また、巻上機５では、ブレーキシュー１９がブレーキディスク１７から離れると、回転軸９、駆動綱車１１及びブレーキディスク１７に対して制動力が加わっている状態が解除される。
【００１６】
ここで、回転軸９が支持部材８に対して回転すると、軸受１４から漏れ出た液体の潤滑剤がブレーキディスク１７に向かって回転軸９の外周面を伝わることがある。軸受１４からの潤滑剤がブレーキディスク１７の制動面に付着すると、ブレーキディスク１７とブレーキシュー１９との間の摩擦係数が低下し、ブレーキ装置１２のブレーキ能力が極端に低下してしまう。
【００１７】
巻上機５は、ブレーキ装置１２のブレーキ能力の低下を防止するために、軸受１４からの潤滑剤がブレーキディスク１７に達することを阻止する仕切り部材２１と、仕切り部材２１の径方向外側に配置されているカバー２２とをさらに有している。カバー２２の下方には、仕切り部材２１及びカバー２２から落ちる液体の潤滑剤を受ける受け皿２３が配置されている。
【００１８】
図３は、図２の巻上機５の仕切り部材２１及びカバー２２の範囲を拡大して示す拡大図である。また、図４は、図３のＩＶ−ＩＶ線に沿った断面図である。回転軸９における軸受１４とブレーキディスク１７との間の部分の外周部には、回転軸９の周方向に沿った溝２４が回転軸９の全周にわたって設けられている。この例では、回転軸９におけるシール部材１５とブレーキディスク１７との間の部分の外周部に溝２４が設けられている。
【００１９】
仕切り部材２１は、溝２４に沿って回転軸９を囲んでいる。また、仕切り部材２１は、溝２４の底面に重なっている重ね部２１ａと、重ね部２１ａから回転軸９の径方向外側へ延びている仕切り部材本体部２１ｂとを有している。
【００２０】
仕切り部材２１の形状は、重ね部２１ａを内側にした環状になっている。仕切り部材２１は、仕切り部材２１の重ね部２１ａを溝２４に挿入した状態で回転軸９に取り付けられている。仕切り部材本体部２１ｂの形状は、回転軸９の径方向へ広がった形状になっている。この例では、図４に示すように、仕切り部材本体部２１ｂの外形が回転軸９の径よりも大きい円形状になっている。
【００２１】
仕切り部材２１の重ね部２１ａは、溝２４に沿った締結具２５で回転軸９に締め付けられている。仕切り部材２１は、重ね部２１ａが回転軸９に締結具２５で締め付けられている状態で回転軸９に固定されている。締結具２５としては、例えば結束バンド、ホースバンド又は番線等が用いられている。
【００２２】
図５は、図３の回転軸９に取り付けられている仕切り部材２１を示す斜視図である。また、図６は、図５の回転軸９に対する仕切り部材２１の取付部分を示す拡大斜視図である。さらに、図７は、図５の仕切り部材２１を展開した状態を示す斜視図である。仕切り部材２１は、折り曲げ可能な帯状部材で構成されている。仕切り部材２１としては、例えばラバーシート、樹脂フィルム、紙、アルミニウム箔等が用いられている。また、仕切り部材２１の少なくとも一部は、山折り部２１１及び谷折り部２１２が回転軸９の周方向へ繰り返されている伸縮可能な蛇腹部２１３になっている。蛇腹部２１３は、山折り部２１１及び谷折り部２１２が広がることにより伸び、山折り部２１１及び谷折り部２１２が狭まることにより縮む。この例では、仕切り部材２１の周方向の全部が蛇腹部２１３になっている。仕切り部材２１の外周部及び内周部のそれぞれの長さの調整は、蛇腹部２１３の伸縮によって行われている。
【００２３】
仕切り部材２１は、蛇腹部２１３が形成されている帯状部材の一方の縁部を折り曲げて帯状部材の断面をＬ字状にすることにより作製されている。仕切り部材２１では、帯状部材の曲げられた一方の縁部が重ね部２１ａとなっており、帯状部材の残りの部分が仕切り部材本体部２１ｂとなっている。
【００２４】
仕切り部材本体部２１ｂの蛇腹部２１３の伸び量は、仕切り部材本体部２１ｂの内周部に位置する重ね部２１ａで最も小さく、仕切り部材本体部２１ｂの外周部に近づくほど大きくなっている。
【００２５】
溝２４の内側面は、回転軸９の外周面に直交する平面になっている。仕切り部材２１は、図６に示すように、仕切り部材本体部２１ｂの内周部を溝２４の内側面に接触させた状態で回転軸９に取り付けられている。この例では、溝２４の軸受１４に近い側の内側面に仕切り部材本体部２１ｂを接触させた状態で仕切り部材２１が回転軸９に取り付けられている。これにより、仕切り部材２１では、仕切り部材本体部２１ｂが回転軸９の外周面に対して直交した状態が保持されている。
【００２６】
カバー２２は、図４に示すように、仕切り部材２１の周囲を囲んだ状態で配置されている。また、カバー２２は、仕切り部材２１の上部の周囲に配置されている上部カバー部２２１と、仕切り部材２１の下部の周囲に配置されている下部カバー部２２２とを有している。上部カバー部２２１及び下部カバー部２２２は、図４に示すように、複数のねじ２２３によって互いに連結されている。また、上部カバー部２２１及び下部カバー部２２２のそれぞれは、金属板を曲げて形成されている。さらに、上部カバー部２２１及び下部カバー部２２２のそれぞれは、図３に示すように、取付具２２４を介して支持部材８に取り付けられている。取付具２２４は、図示しない複数のボルトによって支持部材８に取り付けられている。
【００２７】
上部カバー部２２１には、下方が開放された空間２２５が形成されている。仕切り部材２１の上部の外周部は、上部カバー部２２１の下方から空間２２５内に挿入されている。これにより、仕切り部材２１の上部の外周部は、上部カバー部２２１で覆われている。
【００２８】
下部カバー部２２２には、水平面に対してそれぞれ傾斜する一対の傾斜溝２２６が形成されている。仕切り部材２１の下部の外周部は、一対の傾斜溝２２６のそれぞれに挿入されている。これにより、仕切り部材２１の下部の外周部は、下部カバー部２２２で覆われている。
【００２９】
一対の傾斜溝２２６間の水平距離は、図４に示すように、下部カバー部２２２の上部から下部に向かって連続的に小さくなっている。この例では、回転軸９の軸線に沿って下部カバー部２２２を見たとき、一対の傾斜溝２２６が回転軸９の軸線を通る鉛直線の両側に配置されており、下部カバー部２２２の上部から下部になるにつれて鉛直線に近づく方向へ一対の傾斜溝２２６がそれぞれ傾斜している。
【００３０】
受け皿２３は、一対の傾斜溝２２６のそれぞれの下端部間の空間の下方に配置されている。これにより、各傾斜溝２２６を流れる液体の潤滑剤は、共通の受け皿２３に導かれる。また、受け皿２３は、図３に示すように、支持部材８に固定されている支持具２２７上に載せられている。支持具２２７は、図示しない複数のボルトによって支持部材８に固定されている。
【００３１】
次に、仕切り部材２１を回転軸９に取り付ける手順について説明する。まず、回転軸９の径に合わせて仕切り部材２１の蛇腹部２１３の伸縮を調整しながら、仕切り部材２１の重ね部２１ａを溝２４の底面に巻きつける。これにより、仕切り部材本体部２１ｂの外周部の蛇腹部２１３が伸びて仕切り部材２１が回転軸９の周方向へ広がり、仕切り部材２１が回転軸９の全周を囲んだ状態になる。このとき、仕切り部材本体部２１ｂの内周部を溝２４の内側面に押し付けることにより、仕切り部材本体部２１ｂが回転軸９の外周面に対して立っている状態を保持させておく。
【００３２】
この後、締結具２５を径方向外側から重ね部２１ａに重ね、溝２４の底面と締結具２５との間で重ね部２１ａを挟んだ状態で締結具２５を重ね部２１ａとともに締め付ける。これにより、重ね部２１ａが溝２４内に固定され、仕切り部材２１が回転軸９に固定される。このようにして、仕切り部材２１を回転軸９に取り付ける。
【００３３】
この後、上部カバー部２２１及び下部カバー部２２２がそれぞれ固定されている取付具２２４を支持部材８にボルトで取り付けるとともに、支持具２２７を支持部材８にボルトで取り付けて支持具２２７に受け皿２３を載せる。
【００３４】
次に、軸受１４から液体の潤滑剤が漏れ出たときの動作について説明する。図８は、図３の回転軸９及び仕切り部材２１が回転しているときに回転軸９の外周面に付着している潤滑剤の様子を示す側面図である。軸受１４から液体の潤滑剤が漏れ出ると、潤滑剤の少なくとも一部は、回転軸９の回転により液滴３１として仕切り部材２１に向かって回転軸９の外周面を伝わる。仕切り部材２１に達した液滴３１は、回転軸９と一体に回転する仕切り部材２１の遠心力により仕切り部材２１を径方向外側へ伝わって仕切り部材２１の外周部に達する。仕切り部材２１の外周部に達した液滴３１は、仕切り部材２１の遠心力によって仕切り部材２１から飛ばされてカバー２２の内面に達する。カバー２２の内面に達した液滴３１は、一対の傾斜溝２２６によって受け皿２３へ導かれ、受け皿２３に溜まる。これにより、回転軸９の外周面を伝わる潤滑剤は、ブレーキディスク１７に達することなく、仕切り部材２１及びカバー２２によって受け皿２３に導かれる。
【００３５】
このような巻上機５では、仕切り部材２１の全部が伸縮可能な蛇腹部２１３になっているので、仕切り部材２１の蛇腹部２１３を伸縮させながら仕切り部材２１を回転軸９に取り付けることができる。これにより、互いに異なる径を持つ複数の回転軸９のそれぞれに対しても、蛇腹部２１３の伸縮の調整により仕切り部材２１を容易に取り付けることができ、巻上機５の製造を容易にすることができる。また、互いに異なる径を持つ複数の回転軸９のそれぞれに対応する複数種類の仕切り部材２１を個別に製造する必要がなくなるので、仕切り部材２１の製造コストを低減することができ、巻上機５の製造コストの低減化を図ることができる。
【００３６】
また、仕切り部材２１の径方向外側には、カバー２２が配置されているので、仕切り部材２１の周囲に潤滑剤が飛散することを防止することができる。これにより、潤滑剤からの保護が必要な保護対象（例えばブレーキ装置１２等）に潤滑剤が及ぶことをさらに確実に防止することができる。
【００３７】
また、仕切り部材２１は、回転軸９の外周部に取り付けられているので、回転軸９の外周面を伝わる液体の潤滑剤の移動を仕切り部材２１によってさらに確実に止めることができる。これにより、潤滑剤に対する保護対象（例えばブレーキ装置１２等）に潤滑剤が及ぶことをさらに確実に防止することができる。
【００３８】
また、仕切り部材２１の重ね部２１ａは、回転軸９の外周部に設けられている溝２４の底面に重なっている状態で締結具２５によって回転軸９に締結されているので、回転軸９に対して仕切り部材２１が回転軸９の軸線方向へずれにくくすることができる。また、仕切り部材本体部２１ｂを溝２４の内側面に沿わせて配置することができ、回転軸９の外周面に対して仕切り部材本体部２１ｂを倒れにくくすることができる。これにより、回転軸９に仕切り部材２１をより確実に取り付けることができる。
【００３９】
実施の形態２．
図９は、この発明の実施の形態２によるエレベータ用巻上機を示す断面図である。巻上機５は、軸線方向の寸法よりも径方向の寸法が大きい薄型の巻上機である。また、巻上機５は、支持部材８と、支持部材８に回転自在に支持されている回転体である回転支持部４２と、回転支持部４２を回転させる駆動力を発生するモータ１０と、回転支持部４２に固定されている筒状の駆動綱車１１と、回転支持部４２の回転を制動するブレーキ装置１２とを有している。
【００４０】
支持部材８は、円板状の支持部材本体部８１と、支持部材本体部８１の中心から水平に突出している支持軸８２とを有している。回転支持部４２は、支持軸８２に回転自在に支持されている。
【００４１】
回転支持部４２の中心には、貫通穴４３が設けられている。貫通穴４３内には、複数の軸受１４が嵌っている。回転支持部４２は、貫通穴４３内に支持軸８２を挿入した状態で各軸受１４を介して支持軸８２に支持されている。
【００４２】
モータ１０は、支持軸８２の軸線方向についての回転支持部４２の支持部材本体部８１側に配置されている。また、モータ１０は、支持部材本体部８１に固定されている筒状の固定子１０１と、固定子１０１の内側に配置されている回転子１０２とを有している。固定子１０１は、固定子鉄心１０３と、固定子鉄心１０３に設けられている固定子コイル１０４とを有している。回転子１０２は、回転支持部４２に固定されている筒状の回転子鉄心１０５と、固定子１０１に隙間を介して対向した状態で回転子鉄心１０５に固定されている永久磁石１０６とを有している。回転子１０２は、固定子コイル１０４への給電により固定子１０１に対して回転支持部４２と一体に回転する。
【００４３】
駆動綱車１１は、回転支持部４２のモータ１０側と反対側の部分に固定されている。これにより、駆動綱車１１は、回転支持部４２と一体に回転する。この例では、回転支持部４２、回転子鉄心１０５及び駆動綱車１１が一体成形により形成された単一材になっている。
【００４４】
駆動綱車１１の外周部には、複数本の懸架体用溝１６が駆動綱車１１の周方向に沿って設けられている。駆動綱車１１に巻き掛けられている各懸架体７は、各懸架体用溝１６にそれぞれ挿入されている。かご２及び釣合おもり３は、駆動綱車１１の回転により昇降路１内を上下方向へ移動する。
【００４５】
ブレーキ装置１２は、回転支持部４２の外周部に固定されているブレーキディスク１７と、支持部材本体部８１に取り付けられているブレーキ装置本体１８とを有している。ブレーキディスク１７は、支持軸８２の軸線方向についてモータ１０と駆動綱車１１との間に配置されている。また、ブレーキディスク１７は、回転支持部４２と一体に回転する。ブレーキ装置本体１８の構成は、実施の形態１と同様の構成になっている。
【００４６】
ここで、各懸架体７には、潤滑剤が含浸されている。懸架体７の潤滑剤としては、例えば油又はグリス等が用いられている。回転支持部４２が支持部材８に対して駆動綱車１１と一体に回転して各懸架体７が移動すると、各懸架体７に含浸されている潤滑剤が、各懸架体７の遠心力により駆動綱車１１の周囲のブレーキディスク１７に向かって飛散することがある。懸架体７からの潤滑剤がブレーキディスク１７の制動面に付着すると、ブレーキディスク１７とブレーキシュー１９との間の摩擦係数が低下し、ブレーキ装置１２のブレーキ能力が極端に低下してしまう。
【００４７】
巻上機５は、ブレーキ装置１２のブレーキ能力の低下を防止するために、各懸架体７からの潤滑剤がブレーキディスク１７に達することを阻止する仕切り部材２１と、仕切り部材２１の径方向外側に配置されているカバー４４とをさらに有している。
【００４８】
図１０は、図９の巻上機５の仕切り部材２１及びカバー４４の範囲を拡大して示す拡大図である。回転支持部４２の外周部には、回転支持部４２の周方向に沿った溝２４が回転支持部４２の全周にわたって設けられている。溝２４は、駆動綱車１１とブレーキディスク１７との間に位置している。
【００４９】
仕切り部材２１は、溝２４に沿って回転支持部４２を囲んでいる。また、仕切り部材２１の構成は、実施の形態１と同様の構成になっている。従って、この例では、仕切り部材２１の全部が、山折り部及び谷折り部が回転支持部４２の周方向へ繰り返されている伸縮可能な蛇腹部となっている。
【００５０】
仕切り部材２１の重ね部２１ａは、溝２４に沿った締結具２５で回転支持部４２に締め付けられている。仕切り部材２１は、重ね部２１ａが回転支持部４２に締結具２５で締め付けられている状態で回転支持部４２に固定されている。締結具２５の構成は、実施の形態１と同様である。
【００５１】
溝２４の内側面は、回転支持部４２の外周面に直交する平面になっている。仕切り部材２１は、仕切り部材本体部２１ｂの内周部を溝２４の内側面に接触させた状態で回転支持部４２に取り付けられている。この例では、溝２４の駆動綱車１１に近い側の内側面に仕切り部材本体部２１ｂを接触させた状態で仕切り部材２１が回転支持部４２に取り付けられている。これにより、仕切り部材２１では、仕切り部材本体部２１ｂが回転支持部４２の外周面に対して直交した状態が保持されている。
【００５２】
カバー４４は、金属板を曲げて形成されている。また、カバー４４は、図示しない複数のボルトによって支持部材８に取り付けられている。さらに、カバー４４は、仕切り部材２１及び駆動綱車１１のそれぞれの周囲をまとめて覆っている。また、カバー４４は、各懸架体７との接触を避けて仕切り部材２１及び駆動綱車１１のそれぞれの周囲に配置されている。他の構成は実施の形態１と同様である。
【００５３】
次に、仕切り部材２１を回転支持部４２に取り付ける手順について説明する。まず、回転支持部４２の外径に合わせて仕切り部材２１の蛇腹部２１３の伸縮を調整しながら、仕切り部材２１の重ね部２１ａを溝２４の底面に巻きつける。これにより、仕切り部材本体部２１ｂの外周部の蛇腹部が伸びて仕切り部材２１が回転支持部４２の周方向へ広がり、仕切り部材２１が回転支持部４２の全周を囲んだ状態になる。このとき、仕切り部材本体部２１ｂの内周部を溝２４の内側面に押し付けることにより、仕切り部材本体部２１ｂが回転支持部４２の外周面に対して立っている状態を保持させておく。
【００５４】
この後、締結具２５を径方向外側から重ね部２１ａに重ね、溝２４の底面と締結具２５との間で重ね部２１ａを挟んだ状態で締結具２５を締め付ける。これにより、重ね部２１ａが溝２４内に固定され、仕切り部材２１が回転支持部４２に固定される。このようにして、仕切り部材２１を回転支持部４２に取り付ける。
【００５５】
この後、駆動綱車１１及び仕切り部材２１の周囲に各懸架体７を避けてカバー４４を配置し、カバー４４を支持部材８にボルトで取り付ける。
【００５６】
次に、懸架体７に含浸された潤滑剤が懸架体から飛散したときの動作について説明する。図１１は、図１０の駆動綱車１１及び仕切り部材２１が回転しているときに懸架体７から飛散した潤滑剤の様子を示す側面図である。駆動綱車１１が回転すると、懸架体７に含浸された潤滑剤の少なくとも一部は、懸架体７の遠心力により懸架体７から液滴３１として仕切り部材２１に向かって飛散する。仕切り部材２１に達した液滴３１は、回転支持部４２と一体に回転する仕切り部材２１の遠心力により仕切り部材２１を径方向外側へ伝わって仕切り部材２１の外周部に達する。仕切り部材２１の外周部に達した液滴３１は、仕切り部材２１の遠心力によって仕切り部材２１から飛ばされるが、カバー４４で受け止められる。これにより、懸架体７から飛散した潤滑剤がブレーキディスク１７に達することが防止される。
【００５７】
このように、薄型の巻上機５にこの発明を適用しても、蛇腹部の伸縮の調整により仕切り部材２１を回転支持部４２に容易に取り付けることができ、巻上機５の製造を容易にすることができる。また、仕切り部材２１の製造コストも低減することができ、巻上機５の製造コストの低減化を図ることができる。
【００５８】
実施の形態３．
図１２は、この発明の実施の形態３によるエレベータ用巻上機を示す要部断面図である。実施の形態３では、ボルト及びナットを含む取付具５１を介して仕切り部材２１がカバー４４に固定されている。即ち、仕切り部材２１は、取付具５１及びカバー４４によって支持部材８に対して固定されている。また、仕切り部材２１と回転支持部４２との間には、隙間が存在している。これにより、実施の形態３では、仕切り部材２１が回転支持部４２と一体に回転することはない。回転支持部４２の外周部には、実施の形態１及び２のような溝２４は設けられていない。
【００５９】
仕切り部材２１は、蛇腹部が形成されている帯状部材で構成されている。この例では、仕切り部材２１を構成する帯状部材は折り曲げられておらず、実施の形態１及び２のような重ね部２１ａ及び仕切り部材本体部２１ｂは仕切り部材２１に形成されていない。
【００６０】
仕切り部材２１は、回転支持部４２の周方向に沿って回転支持部４２を囲んでいる。仕切り部材２１では、回転支持部４２の外径に合わせて蛇腹部の伸縮が調整されている。仕切り部材２１は、支持軸８２の軸線方向について駆動綱車１１とブレーキディスク１７との間に位置している。また、仕切り部材２１は、回転支持部４２の外周面に対して直交して配置されている。他の構成は実施の形態２と同様である。
【００６１】
次に、潤滑剤が懸架体７から飛散したときの動作について説明する。駆動綱車１１が回転すると、懸架体７に含浸された潤滑剤の少なくとも一部は、懸架体７の遠心力により懸架体７から液滴として飛散し、仕切り部材２１及びカバー４４で受け止められる。これにより、懸架体７からの潤滑剤が仕切り部材２１及びカバー４４を超えて飛散することが防止される。
【００６２】
このような巻上機５でも、仕切り部材２１の全部が蛇腹部になっているので、蛇腹部の伸縮の調整により仕切り部材２１を回転支持部４２の周囲に容易に配置することができ、巻上機５の製造を容易にすることができる。また、仕切り部材２１の製造コストも低減することができ、巻上機５の製造コストの低減化を図ることができる。さらに、仕切り部材２１が支持部材８に対して固定されているので、仕切り部材２１に遠心力が加わることを回避することができる。これにより、仕切り部材２１の位置がずれることをより確実に防止することができ、巻上機５の信頼性の向上を図ることができる。
【００６３】
なお、各上記実施の形態では、仕切り部材２１の全部が蛇腹部２１３になっているが、仕切り部材２１の周方向について仕切り部材２１の一部のみが蛇腹部２１３になっていてもよい。このようにしても、蛇腹部２１３の伸縮の調整により仕切り部材２１を回転体の周囲に容易に配置することができる。これにより、巻上機５の製造を容易にすることができるとともに、巻上機５の製造コストの低減化を図ることができる。
【００６４】
また、各上記実施の形態では、回転機械としてのエレベータ用巻上機にこの発明が適用されているが、例えば、回転体を有する回転機械としてのエスカレータ用駆動機、ロープウェイ用駆動機又はケーブルカー用駆動機等にこの発明を適用してもよい。
【００６５】
また、各上記実施の形態では、潤滑剤の移動を仕切り部材２１で阻止することにより、例えばブレーキ装置１２等の保護対象を潤滑剤から保護するようになっているが、潤滑剤だけでなく、他の液体の移動を仕切り部材２１で阻止することにより保護対象を保護するようにしてもよい。例えば、保護対象が水に弱い場合には、外部から保護対象への水の侵入を仕切り部材２１で阻止することにより、保護対象を水から保護するようにしてもよい。
【図１】
2017090080.tif 000003
【図２】
2017090080.tif 000004
【図３】
2017090080.tif 000005
【図４】
2017090080.tif 000006
【図５】
2017090080.tif 000007
【図６】
2017090080.tif 000008
【図７】
2017090080.tif 000009
【図８】
2017090080.tif 000010
【図９】
2017090080.tif 000011
【図１０】
2017090080.tif 000012
【図１１】
2017090080.tif 000013
【図１２】
2017090080.tif 000014
【国際調査報告】
2017090080.tif 000015
2017090080.tif 000016
2017090080.tif 000017
2017090080.tif 000018